(57)【要約】【課題】  トイレットペーパーを片手で必要な量だけ巻き取ることができる巻き取り具であって、簡単かつ安価な構成であり、かつ、潔癖者が使用のにも適する巻き取り具を提供する。【解決手段】  巻き取り具１０は、トイレットペーパー２１をその外周面により巻き取る巻き取りロール１１０と、巻き取りロール１１０をトイレットペーパーホルダ２０の上方に支持する支持部１５０とを有する。支持部１５０は、巻き取りロール１１０を一方向にのみ回動させ、逆方向に回動させないように、巻き取りロール１１０の一端において巻き取りロール１１０を支持し、巻き取りロール１１０の外周面には、巻き取りロール１１０の回転軸１５３と平行に延び、巻き取りロール１１０において支持部１５０とは反対側の端部に達する３本の溝１１２を有する。【選択図】図１
2010125283.tif 000002
【特許請求の範囲】
【請求項１】
トイレットペーパーをその外周面により巻き取る巻き取りロールと、
前記巻き取りロールをトイレットペーパーホルダの上方に支持する支持部とを有し、
前記支持部は、前記巻き取りロールを一方向にのみ回動させ、逆方向に回動させないように、前記巻き取りロールの一端において前記巻き取りロールを支持し、
前記巻き取りロールの外周面には、前記巻き取りロールの回転軸と平行に延び、前記巻き取りロールにおいて前記支持部によって支持されている側とは反対側の端部に達する複数本の溝を有することを特徴とするトイレットペーパーの巻き取り具。
【請求項２】
前記複数本の溝の各々の前記巻き取りロールの回転方向の幅は、開口部の幅に比べて内奥部の幅が広がっていることを特徴とする請求項１に記載のトイレットペーパーの巻き取り具。
【請求項３】
前記巻き取りロールと前記トイレットペーパーホルダとの間の位置に支持されるトイレットペーパーカッタを具備することを特徴とする請求項１または２に記載のトイレットペーパーの巻き取り具。
【発明の詳細な説明】
【技術分野】
【０００１】
この発明は、片手で必要な量だけトイレットペーパーを巻き取ることができる巻き取り具に関する。
【背景技術】
【０００２】
一般的に普及しているトイレットペーパーホルダのトイレットペーパーを利用する場合、例えば右手でトイレットペーパーを引き出した後、左手でトイレットペーパーカバーを上から押さえて、トイレットペーパーを引きちぎる必要がある。既存のトイレットペーパーホルダは、このような両手を使った操作を強いるものであるため、両手を使えない者にとっては不便なものである。このような不便さを解消するための技術が各種提案されている。例えば特許文献１は、簡単な操作により、設定した長さのトイレットペーパーを自動的に送り出し、水または液体を利用したカット方式によりカットし、受け皿上に排出する自動式トイレットペーパーホルダを開示している。
【特許文献１】特開２００１−２９２５８号公報
【特許文献２】特開２００６−２８０８８９号公報
【発明の開示】
【発明が解決しようとする課題】
【０００３】
しかしながら、特許文献１に開示の自動式トイレットペーパーホルダは、複雑で大掛かりな機構のものであり、コストが高く、かつ、保守が面倒であるという問題がある。簡単で安価な構成のものとしては、例えば特許文献２に開示されているようなハンドル付きのバーを回転させることによりトイレットペーパーを巻き取る装置もある。しかし、特許文献２に開示されているような装置は、トイレットペーパーを巻き取るのにハンドルを回す必要がある。このような装置を例えば公衆トイレ等に設置した場合、多数の人がハンドルに触ることになる。潔癖な人は、このような誰が触ったか分からないハンドルの操作を嫌う。従って、この装置は潔癖な人に歓迎されないという問題がある。
【０００４】
この発明は、以上説明した事情に鑑みてなされたものであり、トイレットペーパーを片手で必要な量だけ巻き取ることができる巻き取り具であって、簡単かつ安価な構成であり、かつ、潔癖者が使用するのにも適した巻き取り具を提供することを目的とする。
【課題を解決するための手段】
【０００５】
この発明は、トイレットペーパーをその外周面により巻き取る巻き取りロールと、前記巻き取りロールをトイレットペーパーホルダの上方に支持する支持部とを有し、前記支持部は、前記巻き取りロールを一方向にのみ回動させ、逆方向に回動させないように、前記巻き取りロールの一端において前記巻き取りロールを支持し、前記巻き取りロールの外周面には、前記巻き取りロールの回転軸と平行に延び、前記巻き取りロールにおいて前記支持部によって支持されている側とは反対側の端部に達する複数本の溝を有することを特徴とするトイレットペーパーの巻き取り具を提供する。
かかる発明によれば、利用者は、トイレットペーパーのみに手を触れ、トイレットペーパーを必要な量だけ巻き取りロールに巻き取って、巻き取りロールから抜き取ることができる。
【発明を実施するための最良の形態】
【０００６】
以下、図面を参照し、この発明の実施の形態を説明する。
図１はこの発明の一実施形態によるトイレットペーパーの巻き取り具１０の構成を示す図であり、図１（ａ）は同巻き取り具１０およびトイレットペーパーホルダ２０を正面（利用者側）から見た正面図、図１（ｂ）は同巻き取り具１０およびトイレットペーパーホルダ２０の右側面図である。なお、この例では、トイレットペーパーホルダ２０には、ミシン目の入ったトイレットペーパー２１が装填されているものとする。
【０００７】
図１（ａ）および（ｂ）に示すように、巻き取り具１０は、トイレットペーパー２１をその外周面により巻き取る巻き取りロール１１０と、この巻き取りロール１１０をトイレットペーパーホルダ２０の上方に支持する支持部１５０とを有する。この巻き取りロール１１０および支持部１５０は、例えば合成樹脂等の軽量の素材を成型した部材である。
【０００８】
支持部１５０は、固定部１５１とバー部１５２とを有する。図示の例では、固定部１５１は、トイレットペーパーホルダ２０の右側面に接着剤等により固定されている。なお、接着材ではなく、ネジ等により固定部１５１をトイレットペーパーホルダ２０に固定してもよい。バー部１５２の先端部分（固定部１５１とは反対側の端部）には、回転軸１５３が固定されている。巻き取りロール１１０は、軸方向に貫通する孔が空いており、回転軸１５３はこの孔に挿通されている。そして、巻き取りロール１１０の端部から露出した回転軸１５３の先端部には、巻き取りロール１１０の脱落を防止するストッパ１５４が固定されている。
【０００９】
以上の構成により、支持部１５０は、トイレットパーパーホルダ２０の上方において、巻き取りロール１１０の軸方向がトイレットペーパー２１のロールの軸方向と平行になるように、巻き取りロール１１０をその一端（図１（ａ）の例では向かって右側の端部）において回動自在に支持する。好ましい態様では、図１（ｂ）に例示するように、バー部１５２は、トイレットペーパーホルダ２０が固定される壁に対して斜めになっており、巻き取りロール１１０をトイレットペーパーホルダ２０よりも利用者からみてやや手前の位置に支持する。これは利用者が手で巻き取りロール１１０を回転させる操作を容易にするためである。
【００１０】
次に図２を参照し、巻き取り具１０の各部の詳細を説明する。図２（ａ）は巻き取りロール１１０の斜視図である。図示のように、巻き取りロール１１０は、略円筒形状をなし、その外周面には、回転軸１５３を通す孔１１１と平行（すなわち、回転軸１５３と平行）に延び、巻き取りロール１１０において支持部１５０とは反対側の端部（図１（ａ）では向かって左側の端部）に達する３本の溝１１２を有する。ここで、各溝１１２は、その断面が等脚台形のような形状をなし、各々の巻き取りロール１１０の回転方向の幅は、開口部の幅に比べて内奥部の幅が広がっている。そして、巻き取りロール１１０の外周面と溝１１２とがなす角度は鋭角になっている。巻き取りロール１１０に巻き取られるトイレットペーパー２１の折り畳んだ状態での長さは、巻き取りロール１１０の直径の約１．５倍の長さになる。従って、巻き取りロール１１０は、直径が６〜８ｃｍ程度であり、軸方向の長さがトイレットペーパーホルダ２０の幅と同程度のものが好ましい。
【００１１】
本実施形態において、巻き取りロール１１０およびバー部１５２間には、巻き取りロール１１０を図１（ｂ）に示す矢印Ｙ方向のみに回転させ、その逆方向への回転を阻止する逆転防止機構１６０が介在している。図２（ｂ）および（ｃ）は、この逆転防止機構１６０の一構成例を示すものであり、図２（ｂ）は同逆転防止機構１６０を正面から見た図、図２（ｃ）は同逆転防止機構１６０を上方から見下ろした図である。なお、図２（ｂ）および（ｃ）では、逆転防止機構１６０の構成を見やすくするため、巻き取りロール１１０が回転軸１５３に沿ってバー部１５２から引き離された状態が示されている。
【００１２】
図２（ｂ）および（ｃ）に示すように、逆転防止機構１６０は、巻き取りロール１１０の一端面（図１（ａ）では向かって右側の端部の端面）の周囲に円軌道を描いて形成された複数の陥没孔１６１と、バー部１５２における複数の陥没孔１６１の円軌道と対向する位置に設けられた可動式ストッパ１６２とにより構成されている。
【００１３】
ここで、可動式ストッパ１６２は、バー部１５２の表面に対して出没し得るようバー部１５２に支持されており、バー部１５２の内部には可動式ストッパ１６２をバー部１５２表面から突き出す方向に付勢する弾性体（図示略）が設けられている。バー部１５２表面から突き出した可動式ストッパ１６２の頂上部は、傾斜している。
【００１４】
そして、可動式ストッパ１６２の頂上部が巻き取りロール１１０の端面に設けられた１つの陥没孔１６１に挿入された状態において、巻き取りロール１１０の表面に図１（ｂ）に示す矢印Ｙ方向の力が加わる場合、その陥没孔１６１の縁がこの可動式ストッパ１６２の頂上の斜面を滑りつつ可動式ストッパ１６２をバー部１５２の内側に退行させるため、巻き取りロール１１０は矢印Ｙ方向に回転することが可能である。
【００１５】
しかし、可動式ストッパ１６２の頂上部が巻き取りロール１１０の端面に設けられた１つの陥没孔１６１に挿入された状態において、巻き取りロール１１０の表面に図１（ｂ）に示す矢印Ｙ方向とは逆方向の力が加わる場合には、その陥没孔１６１の縁はバー部１５２の表面に対して垂直な可動式ストッパ１６２の側部に当たるため、巻き取りロール１１０の回転は阻止される。なお、図２（ｂ）および（ｃ）に示すものは、あくまでも逆転防止機構１６０の一構成例であり、当業者であれば本発明の実施に当たって他の多様な形態の逆転防止機構を採用可能である。
【００１６】
次に図３（ａ）〜（ｄ）を参照し、本実施形態による巻き取り具１０の使用方法を説明する。まず、利用者は、図３（ａ）に示すように、片手でトイレットペーパーホルダ２０からトイレットペーパー２１の先端を引き出し、そのトイレットペーパー２１の先端を巻き取りロール１１０の外周面の溝１１２に挿入する。そして、図３（ｂ）に示すように、巻き取りロール１１０の外周面を回転させる。この結果、先端部が溝１１２に挿入されたトイレットペーパー２１は、巻き取りロール１１０の回転に伴って巻き取りロール１１０の外周面に巻き取られる。そして、トイレットペーパー２１が必要な量だけ巻き取られると、利用者は、図３（ｃ）に示すように、トイレットペーパーホルダ２０と巻き取りロール１１０との間の区間のトイレットペーパー２１を掴んで手前に引く。ここで、巻き取りロール１１０は、一方向（図１（ｂ）および図３（ｂ）における矢印Ｙ）にしか回転せず、逆転しないので、トイレットペーパー２１は容易に引きちぎられる。
【００１７】
次に利用者は、巻き取りロール１１０に巻かれたトイレットペーパー２１を手で掴み、支持部１５０とは反対側（図１（ａ）参照）にトイレットペーパー２１を引き抜く。ここで、巻き取りロール１１０の外周面に設けられた各溝１１２は、巻き取りロール１１０の回転軸１５３と平行に延び、かつ、巻き取りロール１１０の支持部１５０の反対側の端部に達している。また、３本の溝１１２が設けられているために、巻き取りロール１１０の外周面とこれに巻かれたトイレットペーパー２１との摩擦力は小さい。従って、利用者は、図３（ｄ）に示すように、容易にトイレットペーパー２１を巻き取りロール１１０から抜き取ることができる。
【００１８】
以上のように、本実施形態による巻き取り具１０によれば、片手のみの操作により、トイレットペーパー２１のみに手を触れ、トイレットペーパー２１を必要な量だけ巻き取りロール１１０に巻き取って抜き取ることができる。また、本実施形態による巻き取り具１０は、構成が簡単であり、安価に製造することができるという利点がある。また、本実施形態によれば、図３（ｃ）から容易に理解できるように、利用者がトイレットペーパー２１を引きちぎった後、トイレットペーパーホルダ２０に装填されたトイレットペーパー２１のロールは、トイレットペーパー２１の先端を下に垂らした状態になる。従って、次にトイレを使う利用者がトイレットペーパー２１の先端を容易に引き出すことができるという利点がある。また、本実施形態による巻き取り具１０は、操作が簡単であるので、一度使用方法が分かれば、目の不自由な人でも使用することができる。
【００１９】
以上、この発明の一実施形態について説明したが、この発明にはこれ以外にも他の実施形態が考えられる。例えば次の通りである。
【００２０】
（１）トイレットペーパー２１がミシン目のないものである場合、上記第１実施形態のものでもトイレットペーパー２１を引きちぎることはできるが、トイレットペーパー２１を切断する手段があった方が便利である。そこで、図４（ａ）および（ｂ）に示すように、巻き取りロール１１０とトイレットペーパーホルダ２０との間の位置にトイレットペーパーカッタ１７０を設けてもよい。図示の例では、トイレットペーパーカッタ１７０は、支持部１５０のバー部１５２に固定されている。このトイレットペーパーカッタ１７０は、薄くて柔らかいトイレットペーパーを切断できればよいので、鋭利な刃物である必要はなく、例えば合成樹脂性の薄い板の端部を鋭角状にし、細かな鋸刃を形成したものであってもよい。
【００２１】
（２）上記実施形態では、３本の溝１１２を巻き取りロール１１０の外周面に設けたが、他の本数の溝１１２を設けてもよい。また、溝１１２の断面形状は等脚台形の形状である必要はなく、例えば図５に示すように、断面が円状の溝１１２を巻き取りロール１１０に設けてもよい。すなわち、溝１１２は、トイレットペーパー２１の先端を内部に留めておくことができるように、開口部の幅に比べて内奥部の幅が広がっていればよい。
【００２２】
（３）上記実施形態では、３本の溝１１２の各々を巻き取りロール１１０の途中から一方の端部に至るように形成したが、巻き取りロール１１０の一方の端部から他方の端部まで形成してもよい。
【００２３】
（４）図４に示す構成では、トイレットペーパーカッタ１７０を支持部１５０のバー部１５２に固定した。しかし、このようにする代わりに、図６に示す構成を採用してもよい。この図６は、図４（ｂ）と同様、巻き取り具を右側方から見た側面図である。この図６に示すように、図４（ｂ）の支持部１５０の代わりに、幅広のバー部１５２ａおよび固定部１５１ａからなる支持部１５０ａを採用し、この支持部１５０ａの幅広のバー部１５２ａに切り込みを入れ、この切り込みの上側にトイレットペーパーカッタ１５２ｃを形成してもよい。この態様は、構成が簡素であるため、安価に製造することができるという利点がある。
【００２４】
（５）巻き取り具で巻き取るトイレットペーパー２１の適量（トイレットペーパー２１の折り畳んだ状態での長さ）には個人差がある。そこで、巻き取りロール１１０として、直径の異なったものを各種用意しておき、利用者が巻き取り具１０の購入後、巻き取りロール１１０を自分の好みの直径のものに交換することができるように巻き取り具１０を構成してもよい。あるいは各種の直径の巻き取りロール１１０と、巻き取り具１０における巻き取りロール１１０を除いた部分を別々に販売してもよい。
【００２５】
（６）巻き取りロール１１０自体の直径を拡大する技術的手段を採用してもよい。例えば図７（ａ）および（ｂ）は、その例である巻き取りロールを示すものである。図７（ａ）において、巻き取りロール１１０ａには、複数のプロペラ１１３の基端部を収納する溝が形成されている。複数のプロペラ１１３は、各々の基端部がこれらの溝に収納され、巻き取りロール１１０ａの外周面と同心円を描くように巻き取りロール１１０ａの外周面に固定されている。利用者は、プロペラ１１３の先端と巻き取りロール１１０ａの外周面との隙間にトイレットペーパーの先端を挿入し、巻き取りロール１１０ａを回転させる。プロペラ１１３は、巻き取りロール１１０ａの外周面から突き出した区間の長さが異なった各種のサイズのものが用意されている。利用者は、所望のプロペラ１１３を選択して、巻き取りロール１１０ａに固定することができる。巻き取りロール１１０ａの外周面から突き出した区間の長いプロペラ１１３を巻き取りロール１１０ａに固定した場合、巻き取られるトイレットペーパーの量は大きくなる。逆に巻き取りロール１１０ａの外周面から突き出した区間の短いプロペラ１１３を巻き取りロール１１０ａに固定した場合、巻き取られるトイレットペーパーの量は小さくなる。図７（ｂ）に示す例では、前掲図５の巻き取りロール１１０の外側に、これよりもサイズの大きな巻き取りロール１１５が固定されている。さらに詳述すると、巻き取りロール１１５は、巻き取り具１０のオプションとして販売されるものであり、その内側には巻き取りロール１０を受け入れる孔が貫通しており、この孔に巻き取りロール１１０が嵌めこまれるようになっている。サイズの大きな巻き取りロール１１５の外周面には、巻き取りロール１１０と同様、トイレットペーパーの先端部を収容するための複数の溝１１６が形成されている。巻き取りロール１１０のみを使用したのではトイレットペーパーの巻き取り量が足らない利用者は、図７（ｂ）に示すように巻き取りロール１１５を巻き取りロール１１０の外側に固定して使用すればよい。
【００２６】
（７）上記各実施形態では、巻き取り具１０の支持部１５０をトイレットペーパーホルダ２０に固定するようにしたが、壁に固定するようにしてもよい。
【００２７】
（８）巻き取り具１０の備わった状態のトイレットペーパーホルダ２０を製造し、販売してもよい。
【図面の簡単な説明】
【００２８】
【図１】この発明の一実施形態による巻き取り具１０およびトイレットペーパーホルダ２０の構成を示す図である。
【図２】同巻き取り具１０の各部の詳細を示す図である。
【図３】同巻き取り具１０の使用方法を説明する図である。
【図４】同巻き取り具１０の他の実施形態を示す図である。
【図５】同巻き取り具１０の巻き取りロール１１０に設ける溝１１２の例を示す図である。
【図６】同巻き取り具１０の他の実施形態を示す図である。
【図７】同巻き取り具１０における巻き取りロール１１０の直径の拡大化を行うための技術的手段を例示する図である。
【符号の説明】
【００２９】
１０……巻き取り具、１１０，１１０ａ，１１５……巻き取りロール、１１１……孔、１１２，１１６……溝、１５０……支持部、１５１，１５１ａ……固定部、１５２，１５２ａ……バー部、１５３……回転軸、１５４……ストッパ、１６０……逆転防止機構、１６１……陥没孔、１６２……可動式ストッパ、２０……トイレットペーパーホルダ、２１……トイレットペーパー、１１３……プロペラ、１７０，１５２ｃ……トイレットペーパーカッタ。
【図１】
2010125283.tif 000003
【図２】
2010125283.tif 000004
【図３】
2010125283.tif 000005
【図４】
2010125283.tif 000006
【図５】
2010125283.tif 000007
【図６】
2010125283.tif 000008
【図７】
2010125283.tif 000009